【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
光学系による像を撮像する撮像素子であって、
光を光電変換して電荷を生成する光電変換部と、
前記光電変換部を透過した光を前記光電変換部へ反射する反射部と、を有する複数の画素を備え、
前記複数の画素がそれぞれ有する反射部の位置は、前記撮像素子上の位置によって異なる撮像素子。
【請求項２】
請求項１に記載の撮像素子において、
前記複数の画素がそれぞれ有する反射部の位置は、前記撮像素子上において、前記光学系の光軸からの距離によって異なる撮像素子。
【請求項３】
請求項２に記載の撮像素子において、
前記複数の画素がそれぞれ有する反射部は、前記光電変換部に対する位置が異なる撮像素子。
【請求項４】
請求項３に記載の撮像素子において、
前記複数の画素がそれぞれ有する反射部は、光が入射する方向と交差する面において前記光電変換部に対する位置が異なる撮像素子。
【請求項５】
請求項２に記載の撮像素子において、
前記複数の画素はそれぞれマイクロレンズを有し、
前記複数の画素がそれぞれ有する反射部は、前記マイクロレンズの光軸に対する位置が異なる撮像素子。
【請求項６】
請求項５に記載の撮像素子において、
前記複数の画素がそれぞれ有する反射部は、光が入射する方向と交差する面において前記マイクロレンズの光軸に対する位置が異なる撮像素子。
【請求項７】
請求項５または６に記載の撮像素子において、
前記複数の画素がそれぞれ有する反射部は、前記マイクロレンズの光軸からの距離が異なる撮像素子。
【請求項８】
請求項５から７のいずれか一項に記載の撮像素子において、
前記複数の画素がそれぞれ有する反射部は、光が入射する方向と交差する面において前記マイクロレンズの光軸からの距離が異なる撮像素子。
【請求項９】
請求項１から８までのいずれか一項に記載の撮像素子において、
前記複数の画素がそれぞれ有する反射部の面積は異なる撮像素子。
【請求項１０】
請求項１から９までのいずれか一項に記載の撮像素子において、
前記画素は、前記光電変換部で生成された電荷を出力する出力部を備える撮像素子。
【請求項１１】
請求項１から１０までのいずれか一項に記載の撮像素子において、
前記複数の画素は、第１画素と第２画素とを有し、
前記第１画素は、第１マイクロレンズを透過した光を光電変換して電荷を生成する第１光電変換部と、前記第１マイクロレンズの光軸から光軸と交差する方向に第１距離に設けられ、前記第１光電変換部を透過した光を前記第１光電変換部へ反射する第１反射部と、を有し、
前記第２画素は、第２マイクロレンズを透過した光を光電変換して電荷を生成する第２光電変換部と、前記第２マイクロレンズの光軸から光軸と交差する方向に前記第１距離とは異なる第２距離に設けられ、前記第２光電変換部を透過した光を前記第２光電変換部へ反射する第２反射部と、を有する撮像素子。
【請求項１２】
請求項１１に記載の撮像素子において、
前記第１反射部は、光が入射する方向と交差する面において前記第１マイクロレンズの光軸から前記第１距離に設けられ、
前記第２反射部は、光が入射する方向と交差する面において前記第２マイクロレンズの光軸から前記第２距離に設けられる撮像素子。
【請求項１３】
請求項１１または１２に記載の撮像素子において、
前記第１反射部の中心は、前記第１マイクロレンズの光軸から前記第１距離に設けられ、
前記第２反射部の中心は、前記第２マイクロレンズの光軸から前記第２距離に設けられる撮像素子。
【請求項１４】
請求項１から１０までのいずれか一項に記載の撮像素子において、
前記複数の画素は、第１画素と第２画素とを有し、
前記第１画素は、光を光電変換して電荷を生成する第１光電変換部と、前記第１光電変換部の中心から第１距離で設けられ、前記第１光電変換部を透過した光を前記第１光電変換部へ反射する第１反射部と、を有し、
前記第２画素は、光を光電変換して電荷を生成する第２光電変換部と、前記第２光電変換部の中心から前記第１距離とは異なる第２距離で設けられ、前記第２光電変換部を透過した光を前記第２光電変換部へ反射する第２反射部と、を有する撮像素子。
【請求項１５】
請求項１４に記載の撮像素子において、
前記第１反射部は、光が入射する方向と交差する面において前記第１光電変換部の中心から前記第１距離に設けられ、
前記第２反射部は、光が入射する方向と交差する面において前記第２光電変換部の中心から前記第２距離に設けられる撮像素子。
【請求項１６】
請求項１４または１５に記載の撮像素子において、
前記第１反射部の中心は、前記第１光電変換部の中心から前記第１距離に設けられ、
前記第２反射部の中心は、前記第２光電変換部の中心から前記第２距離に設けられる撮像素子。
【請求項１７】
請求項１１から１６までのいずれか一項に記載の撮像素子において、
前記第１距離および前記第２距離は、前記第１画素と前記第２画素の前記撮像素子上の位置によって異なる撮像素子。
【請求項１８】
請求項１１から１７までのいずれか一項に記載の撮像素子において、
前記第１画素は、前記第１光電変換部で生成された電荷を出力する第１出力部を有し、
前記第２画素は、前記第２光電変換部で生成された電荷を出力する第２出力部を有し、
前記第１出力部は、前記第１光電変換部を透過した光が前記第１反射部へ入射する光路外に設けられ、
前記第２出力部は、前記第２光電変換部を透過した光が前記第２反射部へ入射する光路外に設けられる撮像素子。
【請求項１９】
請求項１８に記載の撮像素子において、
前記第１反射部は、前記光が入射する方向と交差する面において、前記第１光電変換部の中心を通る線と平行な線で分割された領域のうち第１方向側の領域に設けられ、
前記第１出力部は、前記光が入射する方向と交差する面において、前記第１光電変換部の中心を通る線と平行な線で分割された領域のうち前記第１方向側の領域に設けられ、
前記第２反射部は、前記光が入射する方向と交差する面において、前記第２光電変換部の中心を通る線と平行な線で分割された領域のうち第２方向側の領域に設けられ、
前記第２出力部は、前記光が入射する方向と交差する面において、前記第２光電変換部の中心を通る線と平行な線で分割された領域のうち前記第２方向側の領域に設けられる撮像素子。
【請求項２０】
請求項１から１９までのいずれか一項に記載の撮像素子と、
前記光電変換部で生成された電荷に基づく信号に基づいて、前記光学系による像が前記撮像素子に合焦する合焦位置を検出する検出部と、を備える焦点検出装置。
【手続補正２】
【補正対象書類名】明細書
【補正対象項目名】発明の名称
【補正方法】変更
【補正の内容】
【発明の名称】撮像素子および焦点検出装置
【手続補正３】
【補正対象書類名】明細書
【補正対象項目名】０００１
【補正方法】変更
【補正の内容】
【０００１】
本発明は、撮像素子および焦点検出装置に関する。
【手続補正４】
【補正対象書類名】明細書
【補正対象項目名】０００４
【補正方法】変更
【補正の内容】
【０００４】
本発明の第１の態様による撮像素子は、光学系による像を撮像する撮像素子であって、光を光電変換して電荷を生成する光電変換部と、前記光電変換部を透過した光を前記光電変換部へ反射する反射部と、を有する複数の画素を備え、前記複数の画素がそれぞれ有する反射部の位置は、前記撮像素子上の位置によって異なる。
本発明の第２の態様による焦点検出装置は、第１の態様による撮像素子と、前記光電変換部で生成された電荷に基づく信号に基づいて、前記光学系による像が前記撮像素子に合焦する合焦位置を検出する検出部と、を備える。